(57)【特許請求の範囲】
【請求項１】
第１の機能と第２の機能を含む複数の機能を備える画像処理装置であって、
原稿を読み取って画像データを生成する読取手段と、
前記第１の機能が選択されたことに基づき、前記原稿の向きをユーザから受け付ける受付手段と、
前記受付手段が受け付けた向きを記憶する記憶手段と、
前記第１の機能がキャンセルされた後に前記第２の機能が選択された場合に、前記記憶手段に記憶された向きに基づいて前記第２の機能を実行するように制御する制御手段と、
を備えることを特徴とする画像処理装置。
【請求項２】
前記記憶手段は、前記受付手段が受け付けた向きがデフォルト値と異なる場合に当該受け付けた向きを記憶することを特徴とする請求項１に記載の画像処理装置。
【請求項３】
前記第１の機能または前記第２の機能は、ページ集約機能であることを特徴とする請求項１または２に記載の画像処理装置。
【請求項４】
前記第１の機能または前記第２の機能は、コピー機能、電子メール機能、またはＦＡＸ機能であることを特徴とする請求項１または２に記載の画像処理装置。
【請求項５】
前記第１の機能は第１のアプリケーションに対応する機能であり、前記第２の機能は第２のアプリケーションに対応する機能であることを特徴とする請求項１または２に記載の画像処理装置。
【請求項６】
第１の機能と第２の機能を含む複数の機能を備える画像処理装置の制御方法であって、
原稿を読み取って画像データを生成する読取工程と、
前記第１の機能が選択されたことに基づき、前記原稿の向きをユーザから受け付ける受付工程と、
前記受付工程で受け付けた向きを記憶装置に記憶する記憶工程と、
前記第１の機能がキャンセルされた後に前記第２の機能が選択された場合に、前記記憶装置に記憶された向きに基づいて前記第２の機能を実行するように制御する制御工程と、
を備えることを特徴とする画像処理装置の制御方法。
【請求項７】
請求項６に記載の画像処理装置の制御方法の各工程をコンピュータに実行させるためのプログラム。
【発明の詳細な説明】
【技術分野】
【０００１】
本発明は、原稿を読み取って画像データを生成する画像処理装置、その制御方法、及びプログラムに関する。
【背景技術】
【０００２】
近年、コピー、ファクス機能、電子メールの送受信機能等を有し、小型化を追求した複合機が増加している。この結果、原稿の読み取り部の原稿の用紙幅センサをなくし、機器の搬送機構サイズの制約により、Ａ４／ＬＴＲ原稿の短辺（ショートエッジ）の画像を読み取る複合機が増加している。こうした複合機の特徴は、縦向きと横向きのＡ４／ＬＴＲ原稿のいずれもショートエッジで読み込まれるために、ジョブを実行する前に自動的に原稿の向きを検知することができない。
【０００３】
この解決策として、一律でデフォルトの原稿の向きを定めていた（通常、縦原稿）。また、ユーザが原稿の向きの設定を確実に行わなければならない機能（例えば、両面コピー、ページ集約機能（２in１等）など）では、その機能の設定画面の中で、ユーザが必ず原稿の向きを入力しなければならないようにしていた。
【先行技術文献】
【特許文献】
【０００４】
【特許文献１】特開２０００−１４７９５６号公報
【発明の概要】
【発明が解決しようとする課題】
【０００５】
しかし、ここでいくつかの課題があった。一つ目は、ある機能の設定画面で、一度、ユーザが設定した原稿の向きの設定は、その機能の設定取消で解除されてしまうことにある。例えば、ページ集約や両面コピー等の機能で、一旦、原稿の向きを設定しても、その機能を取り消してしまうと、その機能で設定されていた原稿の向きの情報まで取り消されてしまう。そのため、原稿の向きを設定しなければならない他の機能を指示する際、ユーザは再度、原稿の向きを設定する必要があり、操作が面倒であった。
【０００６】
また二つ目は、設定された原稿の向きの確認方法が煩雑であることにある。従来、原稿の向きの指定は、ページ集約や両面コピー等の機能で、複数の操作画面を経由して設定するので、指定した機能で、ユーザが原稿の向きをどちらに設定したかを簡単に確認する方法がなかった。
【０００７】
三つ目の課題は、必ず原稿の向きを設定しなければならない機能で、ユーザに確実に原稿の向きを設定させる方法がなかった。例えば、複合機から電子メールやファックスを送信する場合は、送信画像の天地がわからないと所望の向きの画像の作成ができない。ゆえに、必ず原稿の向きを設定する必要がある。しかし、現在では、デフォルトが縦原稿であるため、ユーザが横原稿をよく使う場合には、毎回、原稿の向きを横方向に設定するという操作を行わないと、所望の原稿の向きで送信できないことがあった。
【０００８】
更に四つ目の課題は、一律の原稿の向きの設定では、操作が煩雑になることがあるという点である。例えば、コピーでは原稿の向きが縦の原稿が主流であるが、ファックスでは、横原稿の帳票が主流であるというユーザも多い。こうしたユーザの場合、送信原稿の向きが正しく設定されるようにするには、ユーザが意識して、原稿の向きを毎回設定しなければならない。つまり、ユーザの入力の手間が多く、使いやすい操作になっているとはいえない状況であった。
【０００９】
本発明の目的は、上記従来技術の課題を解決することにある。
【００１０】
本発明の特徴は、ある機能が選択されたことに基づきユーザから受け付けた原稿の向きを他の機能でも使用できるようにする技術を提供することにある。
【課題を解決するための手段】
【００１３】
上記目的を達成するために本発明の一態様に係る画像処理装置は、第１の機能と第２の機能を含む複数の機能を備える画像処理装置であって、原稿を読み取って画像データを生成する読取手段と、前記第１の機能が選択されたことに基づき、前記原稿の向きをユーザから受け付ける受付手段と、前記受付手段が受け付けた向きを、当該向きに基づいて前記第２の機能を実行可能とすべく記憶する記憶手段と、を備えることを特徴とする。
また、本発明の一態様に係る画像処理装置は、第１の機能と第２の機能を含む複数の機能を備える画像処理装置であって、原稿を読み取って画像データを生成する読取手段と、前記第１の機能が選択されたことに基づき、前記原稿の向きをユーザから受け付ける受付手段と、前記受付手段が受け付けた向きを記憶する記憶手段と、前記第１の機能がキャンセルされた後に前記第２の機能が選択された場合に、前記記憶手段に記憶された向きに基づいて前記第２の機能を実行するように制御する制御手段と、を備えることを特徴とする。
【発明の効果】
【００１４】
本発明によれば、ある機能が選択されたことに基づきユーザから受け付けた原稿の向きを他の機能でも使用できるようになるため、操作性の煩雑さが軽減できる。
【図面の簡単な説明】
【００１６】
【図１】実施形態に係る画像形成装置であるデジタル複合機の主要な構成を示すブロック図。
【図２】実施形態に係るデジタル複合機を制御するソフトウェア構成を示すブロック図。
【図３】実施形態に係る複合機の操作部を説明する図。
【図４】実施形態に係る複合機における原稿の向きを設定する処理を説明するフローチャート。
【図５】実施形態に係る複合機におけるコピー処理の設定を行うためのコピー基本操作画面の一例を示す図。
【図６】原稿の向きを指定する画面例を示す図。
【図７】図８の画面を使用して設定されるページ集約の設定を取得して格納する処理を説明するフローチャート。
【図８】ページ集約の各種設定を行うための設定画面の一例を示す図。
【図９】ページ集約の設定の取り消し処理を説明するフローチャート。
【図１０】図７に示す処理を実行した後のコピー基本画面の一例を示す図。
【図１１】ページ集約の設定の取り消し処理の後で表示されるコピー基本操作画面の一例を示す図。
【図１２】本発明の実施形態２に係る複合機が原稿をスキャンして送信する処理を説明するフローチャート。
【図１３】実施形態２に係る、原稿をスキャンして送信する場合のスキャン送信の基本操作画面の一例を示す図。
【図１４】実施形態３に係る複合機における、各アプリごとの原稿の向きのデフォルトを設定する処理を説明するフローチャート。
【図１５】実施形態３に係るアプリ選択画面の一例を示す図。
【図１６】実施形態３に係るコピーにおけるデフォルトの原稿の向き設定画面の一例を示す図。
【図１７】実施形態３に係る原稿の向きの設定方法を指定する画面例を示す図。
【図１８】実施形態３に係る、スキャンして送信するジョブの処理を説明するフローチャート。
【発明を実施するための形態】
【００１７】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１８】
図１は、本発明の実施形態に係る画像処理装置であるデジタル複合機の主要な構成を示すブロック図である。
【００１９】
このデジタル複合機は、コントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた原稿の画像データをプリンタ２０９５により印刷するコピー機能を実現するための制御を行なう。それとともに、ＬＡＮ１００６や公衆回線１００８（ＷＡＮ）に接続することによって、画像情報やデバイス情報の入出力を行なうための制御を行なう。
【００２０】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げる。このＯＳ上で、ＨＤＤ（ハードディスクドライブ）２００４に格納されているアプリケーションプログラムをＲＡＭ２００２にロードし、実行し、これによって各種処理を実行する。このＣＰＵ２００１の作業領域としてＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００２１】
ＣＰＵ２００１には、システムバス２００７を介して、ＲＯＭ２００３及びＲＡＭ２００２とともに、操作部Ｉ／Ｆ２００６、ネットワークＩ／Ｆ２０１０、モデム２０５０、ＵＳＢ・Ｉ／Ｆ２０９６及びイメージバスＩ／Ｆ２００５が接続される。操作部Ｉ／Ｆ２００６は、タッチパネルを有する操作部２０１２とのインタフェースを制御し、操作部２０１２に表示すべき画像データを操作部２０１２に対して出力する。また操作部Ｉ／Ｆ２００６は、操作部２０１２においてユーザにより入力された情報をＣＰＵ２００１に送出する。
【００２２】
次に、ネットワークＩ／Ｆ２０１０はＬＡＮ１００６に接続され、ＬＡＮ１００６を介してＬＡＮ１００６上の各装置との間で情報の入出力を行なう。モデム２０５０は、公衆回線１００８に接続され、公衆回線１００８を介して情報の入出力を行なう。ＵＳＢ・Ｉ／Ｆ２０９６は、ハードキーボード２０９７等のＵＳＢデバイスが接続可能である。ＵＳＢ・Ｉ／Ｆ２０９６にＵＳＢデバイスが接続されると、ＵＳＢ・Ｉ／Ｆ２０９６はＵＳＢのＩ／Ｆ規格に従って、その接続されたＵＳＢデバイスと通信して、そのＵＳＢデバイスの属性を取得し、これをＣＰＵ２００１に通知する。この属性通知をもってＣＰＵ２００１はＵＳＢデバイスが接続或いは接続が切断されたことを検知する。
【００２３】
イメージバスＩ／Ｆ２００５は、システムバス２００７と、画像データを高速で転送する画像バス２００８とを接続し、これらバスの間でデータ形式を変換するためのバスブリッジである。画像バス２００８は、ＰＣＩバス或いはＩＥＥＥ１３９４で構成される。画像バス２００８上には、ラスタイメージプロセッサ（以下、ＲＩＰ）２０６０、デバイスＩ／Ｆ２０２０、スキャナ画像処理部２０８０、プリンタ画像処理部２０９０、画像回転部２０３０、及び圧縮／伸張部２０４０が設けられる。
【００２４】
ＲＩＰ２０６０は、ＰＤＬコードをビットマップイメージに展開するプロセッサである。デバイスＩ／Ｆ２０２０には、スキャナ２０７０及びプリンタ２０９５が接続され、デバイスＩ／Ｆ２０２０は、画像データの同期系／非同期系の変換を行なう。スキャナ画像処理部２０８０は、スキャナ２０７０から入力された画像データに対して補正、加工、編集を行なう。プリンタ画像処理部２０９０は、プリンタ２０９５へ出力する画像データに対してプリンタ２０９５に応じた補正、解像度変換などを行なう。画像回転部２０３０は、画像データの回転を行なう。圧縮／伸張部２０４０は、多値画像データをＪＰＥＧデータに、２値画像データをＪＢＩＧ、ＭＭＲ、ＭＨなどのデータに圧縮するとともに、その伸張処理を行なう。
【００２５】
図２は、本実施形態に係るデジタル複合機を制御するソフトウェア構成を示すブロック図である。
【００２６】
ＲＡＭ２００２にロードされたＵＩ制御部２０１は、操作部２０１２に操作画面を表示し、ユーザの操作を受け付けるユーザインタフェース（ＵＩ）を制御する。スキャナ制御部２０２は、スキャナ２０７０を制御し、原稿の画像を読み取る処理を制御する。プリント制御部２０３は、プリンタ２０９５を制御して、用紙に画像を印刷する。送信制御部２０４は、スキャナ２０７０が読み取った画像データを、ネットワークインタフェース２０１０を介して、ユーザが指定した宛先に送信する処理を制御する。
【００２７】
図３は、実施形態に係る複合機の操作部２０１２を説明する図である。
【００２８】
この操作部２０１２には、タッチパネルを備えた液晶などの表示部３０１、テンキー３０２、コピー、ファックス、電子メール等のジョブの開始を指示するスタートキー３０３が配置されている。このスタートキー３０３が押下されると、ＣＰＵ２００１が、その時点で指示されているジョブの実行処理を行う。更に、各種設定内容を呼び出す「設定／登録」画面の呼び出しボタン３０４や、ジョブの履歴・状況画面を呼び出す「履歴」ボタン３０５も配置されている。
【００２９】
［実施形態１］
図４は、実施形態１に係る複合機における原稿の向きを設定する処理を説明するフローチャートである。
【００３０】
このフローチャートは、原稿の向きの指定を開始し、その原稿の向きの設定を完了するまでの処理を示す。また、図６は、原稿の向きを指定する画面例を示す図で、図４の各ステップの処理において、ユーザが参照する画面の一例を示している。図４の各ステップは、ＨＤＤ２００４に格納されたプログラムに従ってＣＰＵ２００１が処理を実行することにより実現される。例えば図６の画面は、操作部２０１２の「設定／登録」ボタン３０４が押下され、その操作メニュで「原稿の向き」が選択されることにより表示されることにより表示される。また或いは後述の図５や図１３に示すように、ある機能が指示されたときに、その操作画面の「原稿の向き」が指示されることにより表示される。
【００３１】
まずＳ４０１で、ユーザにより指定された原稿の向きを取得する。このときユーザは、操作部２０１２の表示部３０１に表示される、図６の原稿の向き指定画面を使用して、原稿の向きを指定する。例えばユーザは、縦向きの原稿を指定する場合は、縦向き原稿設定ボタン６０１を押下する。一方、横向きの原稿を指定する場合は、横向き原稿設定ボタン６０２を押下する。こうしてユーザは、縦向き原稿設定ボタン６０１或いは横向き原稿設定ボタン６０２を選択した後、ＯＫボタン６０３を押下する。これにより原稿の向きが設定されて、ＣＰＵ２００１は、その指定された原稿の向きを取得する。次にＳ４０２に進み、ＣＰＵ２００１は、Ｓ４０１でユーザが指定した原稿の向きの設定値をＲＡＭ２００２に格納する。尚、キャンセルボタン６０４が押下されると原稿の向きの設定処理を取り消す。
【００３２】
図５は、実施形態１に係る複合機におけるコピー処理の設定を行うためのコピー基本操作画面の一例を示す図である。このコピー基本操作画面は、操作部２０１２の表示部３０１に表示される。
【００３３】
カラー選択ボタン５０１は、印刷物の出力色を選択するボタンである。倍率ボタン５０２は、原稿サイズに対する印刷物の倍率を指定するボタンである。用紙選択ボタン５０３は、印刷で使用する用紙を選択するボタンである。設定確認ボタン５０４は、コピー機能に対して設定された内容を確認するボタンである。ショートカットエリア５０５は、コピーの設定で、良く利用する設定内容をボタンとして登録できるエリアである。その他の機能ボタン５０６は、コピーの基本設定の他に、詳細設定を行う画面に遷移するためのボタンである。本実施形態１では、一例として、ショートカットエリア５０５に、ページ集約ボタン５０７、原稿の向きボタン５０８を配置している。ページ集約ボタン５０７が押下されると図８のページ集約画面に遷移する。また原稿の向きボタン５０８が押下されると、前述した図６の原稿の向き指定画面に遷移する。また、ページ集約の設定表示エリア５０９には、ページ集約の設定状態を表示し、原稿の向きの設定表示エリア５１０には、原稿の向きの設定状態を表示する。図５では、ページ集約の設定表示エリア５０９及び原稿の向きの設定表示エリア５１０はいずれも設定されていないため、「設定なし」となっている。
【００３４】
図７は、図８の画面を使用して設定されるページ集約の設定を取得して格納する処理を説明するフローチャートである。図８は、ページ集約の各種設定を行うための設定画面の一例を示す図である。尚、ここでページ集約とは、１枚の用紙に複数ページの画像を印刷する、例えば２in１、４in１等を意味している。図７の各ステップは、ＨＤＤ２００４に格納されたプログラムに従ってＣＰＵ２００１が処理を実行することにより実現される。
【００３５】
ここではユーザは、操作部２０１２に表示される図８に示すページ集約設定画面を使用して、ページ集約の設定を行う。ユーザは、ページ集約の設定８０１のページ割り付け方法の選択肢のボタン（図８では２in１、４in１，８in１が表示されている）からページの集約の方法を選択する。本実施形態１では、「２in１」を選択したという仮定で説明する。次に原稿の向き指定ボタン８０２から、原稿の縦、横のいずれかの向きを選択する。本実施形態１では、デフォルト値が縦向き原稿で、ここではデフォルトとは異なる横向き原稿を選択したという仮定で説明する。因みに、このボタン８０２を表示する際には、複合機に設定されたデフォルトの原稿の向きの値に従って設定が表示される。原稿サイズ指定ボタン８０３が選択されると、原稿サイズを指定する画面が表示される。用紙サイズ変更ボタン８０４が選択されると、用紙サイズを指定する画面が表示される。また両面コピーを設定する際には、両面設定ボタン８０５を指定して両面コピーを指定する。また詳細設定ボタン８０６が押下されると、ページ集約に関する詳細設定のための画面に遷移する。こうして各種事項の設定が完了した後、ユーザがＯＫボタン８０８を押下すると、Ｓ７０１で、この画面を使用して設定された各種事項（設定内容）がＣＰＵ２００１により取得される。尚、図８の画面でユーザが設定したページ集約の設定を取り消す場合は、設定取消ボタン８０７を押下する。
【００３６】
次にＳ７０２に進み、ＣＰＵ２００１は、Ｓ７０１で取得した原稿の向きが、デフォルトの原稿の向きから変更されているか否かを判定する。デフォルトの向きから変更されている判定するとＳ７０３に進み、ＣＰＵ２００１は、Ｓ７０１で取得した原稿の向きの設定を、コピージョブにおける原稿の向きとしてＲＡＭ２００２に一時的に格納する。次にＳ７０４に進み、ＣＰＵ２００１は、Ｓ７０１で取得したページ集約の設定状態をＲＡＭ２００２に格納する。これによりページ集約の設定及び格納処理が完了する。またＳ７０２で、デフォルトの向きから変更されていない判定するとＳ７０３をスキップしてＳ７０４に進み、Ｓ７０１で取得したページ集約の設定状態をＲＡＭ２００２に格納する。
【００３７】
このようにして、コピー機能の中のページ集約の設定画面で、原稿の向きがデフォルトの値から変更されたときは、コピージョブの原稿の向きとしてＲＡＭ２００２に、その変更された原稿の向きを記憶する。
【００３８】
図１０は、図７に示す処理を実行した後のコピー基本操作画面の一例を示す図である。尚、図１０では、前述の図５と共通する部分は同じ参照記号で示し、それらの説明を省略する。
【００３９】
図５と図１０を参照すると明らかなように、図１０では、ページ集約の設定エリア１００１には「２in１」が表示される。また、原稿の向きの設定エリア１００２には、ページ集約機能の設定画面で設定された原稿の向き「横向き」が表示されている。
【００４０】
図９は、上述した処理により設定されたページ集約の設定の取り消し処理を説明するフローチャートである。ここでも前述の図８に示すページ集約設定画面を参照して説明する。図９の各ステップは、ＨＤＤ２００４に格納されたプログラムに従ってＣＰＵ２００１が処理を実行することにより実現される。
【００４１】
この処理は、図８に示すページ集約設定画面の設定取消ボタン８０７が押下されることにより開始される。まずＳ９０１で、ＣＰＵ２００１が、原稿の向きが、デフォルト値（縦向き）から変更されているかを判断する。変更されていると判断した場合はＳ９０２に進み、ＣＰＵ２００１は、ＲＡＭ２００２に一時的に格納されたジョブの原稿の向きの設定状態を保存してＳ９０３に進む。またＳ９０１でデフォルト値から変更されていないときはＳ９０３に進み、ＣＰＵ２００１は、図７のＳ７０４でＲＡＭ２００２に一時的に格納したページ集約の設定を取消して、デフォルトの値に戻す。
【００４２】
図１１は、ページ集約の設定の取り消し処理の後で表示されるコピー基本操作画面の一例を示す図である。尚、図１１では、前述の図５、図１０と共通する部分は同じ参照記号で示し、それらの説明を省略する。
【００４３】
ここで図１０と図１１とを比較すると明らかなように、ページ集約の設定エリア１１０１には、ページ集約の設定がないことを示す「設定なし」が表示される。また、原稿の向きの設定エリア５１０には、前述のページ集約機能の設定画面で設定した「横向き」が保持されていることが分かる。
【００４４】
このように、コピージョブの中のページ集約機能で原稿の向きの指定を行った場合、そのページ集約機能の設定を取り消しても、コピージョブの原稿の向きとして、その原稿の向きを示す情報をそのまま残している。こうすることで、他の機能の設定を行う場合でも、ページ集約機能で設定した原稿の向きを使用できる。よって、機能を切り替える度に、原稿の向きの設定を設定し直す必要がなくなるため、ユーザの操作性を向上することが可能になった。
【００４５】
また、図５、図１０、図１１に示すように、コピーの基本操作画面に、現在、指定されている原稿の向きを表示するため、ユーザは現時点で設定されている原稿の向きを容易に確認できるという効果がある。
【００４６】
［実施形態２］
前述の実施形態１では、原稿の向きの設定が必要な機能をページ集約を例に挙げて説明した。しかし、電子メールやファックス送信の機能では、事前に原稿の向きをユーザが指定しないと、天地が正しい送信画像にならない可能性がある。こうした原稿の向きの設定が必須である機能について、ユーザから原稿の向きが入力されなかった場合に、自動的にユーザに原稿の向きの入力を促す例について説明する。尚、実施形態２に係る画像処理装置（デジタル複合機）のハードウェア構成は前述の実施形態１と同じであるため、その説明を省略する。
【００４７】
図１２は、本発明の実施形態２に係る複合機が原稿をスキャンして送信する処理を説明するフローチャートである。図１２の各ステップは、ＨＤＤ２００４に格納されたプログラムに従ってＣＰＵ２００１が処理を実行することにより実現される。
【００４８】
図１３は、原稿をスキャンして送信する場合のスキャン送信の基本操作画面の一例を示す図である。
【００４９】
まずＳ１２０１で、図１３に示すスキャン送信の基本操作画面を表示する。これによりユーザは、この基本操作画面を使用して送信ジョブを指定する。その後、操作部２０１２のスタートキー３０３が押下されたことを検知するとＳ１２０２に進む。
【００５０】
ここで、図１３のスキャン送信の基本操作画面に関する説明を行う。この図１３では、ユーザが宛先を指定可能な宛先入力ボタン１３０１が表示されている。宛先入力は、「アドレス帳」「ワンタッチ」「新規宛先」いずれの方法でも可能である。１３０２は、読み取り解像度、読み取りカラーモード、サイズ、原稿の向き等の送信設定を行う送信設定ボタンである。１３０４は、読み取り、送信時のさまざまな詳細設定を呼び出す応用設定ボタンである。また、永続的な領域に保存された送信設定を呼び出す「よく使う設定」ボタン１３０３も表示されている。
【００５１】
このスキャン送信の基本操作画面では、電子メール送信及びファイル送信の設定が可能である。また、デバイスの設定によっては、ファクス送信も可能である。
【００５２】
Ｓ１２０２では、ＣＰＵ２００１が、送信設定ボタン１３０２で原稿の向きの設定が、デフォルト値から変更されているか否かを判定する。ここで変更されていないと判定した場合は、ユーザが原稿の向きの設定を忘れている可能性があるのでＳ１２０３に進み、変更されている場合は、このまま処理を終了する。Ｓ１２０３では、ＣＰＵ２００１は、操作部２０１２に、図６に示す原稿の向きの指定するための画面を表示する。この実施形態２では、スキャン送信のジョブに対する原稿の向きを設定する点が、前述の実施形態１のページ集約機能の場合とは異なるが、画面レイアウトや設定内容は、図６の原稿の向き指定画面と同様であるため、その説明を省略する。
【００５３】
次にＳ１２０４に進み、図６の画面を使用してユーザにより設定された原稿の向きを取得する。こちらも、操作内容は、送信ジョブに対する原稿の向きの設定を行う点が実施形態１と異なるだけで、図４のＳ４０１と同様の操作を行うので説明を省略する。そしてＳ１２０５に進み、その設定された原稿の向きに従って、ＣＰＵ２００１は、ＲＡＭ２００２に格納された送信ジョブの設定を基に、ジョブの送信を行う。
【００５４】
このように、原稿をスキャンして電子メールやファイル送信などで送信する送信ジョブのように、必ず原稿の向きを設定しなければならない場合に、自動的にユーザが確認できるようにしている。即ち、必ず原稿の向きを設定しなければならない場合に、ユーザが原稿の向きを指定していない場合は、ジョブの開始前に原稿の向きを設定するための画面を自動的に表示してユーザに確認を促す。これにより、ユーザは確実に原稿の向きを設定することが可能になる。
【００５５】
［実施形態３］
前述の実施形態１，２では、原稿の向きの設定が必要な機能に対する原稿の向きの設定方法について説明した。しかし、コピーでは原稿の縦向きが中心、ファックスでは原稿の横方向が中心とした場合、ジョブの異なるアプリ毎（例えば、コピー、電子メール，ファックス等）に、デフォルトの原稿の向きを設定することが求められる。以下では、こうした実施形態３について説明する。尚、実施形態３に係る画像処理装置（デジタル複合機）のハードウェア構成は前述の実施形態１と同じであるため、その説明を省略する。
【００５６】
図１４は、本発明の実施形態３に係る複合機における、各アプリごとの原稿の向きのデフォルトを設定する処理を説明するフローチャートである。図１４の各ステップは、ＨＤＤ２００４に格納されたプログラムに従ってＣＰＵ２００１が処理を実行することにより実現される。
【００５７】
図１５は、実施形態３に係るアプリ選択画面の一例を示す図である。
【００５８】
図１６は、実施形態３に係るコピーにおけるデフォルトの原稿の向き設定画面の一例を示す図である。
【００５９】
図１７は、実施形態３に係る原稿の向きの設定方法を指定する画面例を示す図である。
【００６０】
まず図１４のＳ１４０１において、操作部２０１２に表示された、図１５のアプリ選択画面を使って、ユーザが選択したアプリケーションを取得する。
【００６１】
図１５のアプリ選択画面には、コピーアプリ用原稿の向き設定ボタン１５０１、電子メールアプリ用原稿の向き設定ボタン１５０２、ファックスアプリ原稿の向き設定ボタン１５０３がそれぞれ配置されている。どのアプリに対して原稿の向きを選択できるかは一つの例であり、原稿の向きを設定可能なアプリをここに定義して表示することが可能である。ここで、コピーアプリ用原稿の向き設定ボタン１５０１、電子メールアプリ用原稿の向き設定ボタン１５０２、ファックスアプリ原稿の向き設定ボタン１５０３のいずれかのボタンが押下されると、図１６のデフォルト原稿の向き設定画面１６００に遷移する。尚、図１５でＯＫボタン１５０４が押下されると、この画面の読みだし元に戻ることができる。但し、この画面の呼び出し元は本実施形態３に直接関係ないので、説明を省略する。
【００６２】
次にＳ１４０２に進み、操作部２０１２に表示された、図１６のデフォルト原稿の向き設定画面を使って、ユーザにより指定されたアプリで使うデフォルトの原稿の向きを取得する。
【００６３】
図１６のデフォルト原稿の向き設定画面では、縦向き原稿ボタン１６０１、横向き原稿ボタン１６０２が表示されている。これらボタン１６０１，１６０２のいずれかが選択されて、次へボタン１６０４が押下されると、選択したアプリに対して、デフォルトの原稿の向きが決定され、図１７の原稿の向きの設定方法の指定画面に遷移する。因みに、図１６で戻るボタン１６０３が押下されると、図１５のアプリ選択画面に遷移する。
【００６４】
そしてＳ１４０３に進み、操作部２０１２に表示された、図１７の原稿の向きの設定方法の指定画面を使って選択された原稿の向きの設定方法を取得する。
【００６５】
図１７の原稿の向きの設定方法の指定画面では、アプリのデフォルト値を書き換えるか、ジョブ毎に原稿の向きの指定を必須とするか、ジョブ毎に任意に指定できるかのいずれかを選択できる。それぞれ、アプリのデフォルト値を書き換えボタン１７０１、ジョブ毎に原稿の向きの指定を必須とする指定ボタン１７０２、ジョブ毎で任意に指定できる設定ボタン１７０３のいずれかを指定することができる。ユーザが、いずれかのボタンを選択しＯＫボタン１７０５を押下する。これによりアプリケーションに設定された、原稿の向きと設定方法を確定して、ＣＰＵ２００１がＨＤＤ２００４にアプリの原稿の向きと設定方法を格納して、図１５のアプリ選択画面に遷移する。因みに図１７で、戻るボタン１７０４が押下されると、図１７の原稿の向きの設定方法の指定画面で指定したデータを確定せず、図１６のデフォルト原稿の向き設定画面に遷移する。
【００６６】
図１８は、実施形態３に係る、スキャン送信のジョブの処理を説明するフローチャートである。図１８の各ステップは、ＨＤＤ２００４に格納されたプログラムに従ってＣＰＵ２００１が処理を実行することにより実現される。
【００６７】
まずＳ１８０１において、操作部２０１２に表示された、図１３のスキャン送信の基本画操作面を使用してユーザが設定した内容を取得する。そしてＳ１８０２で、ユーザが操作部２０１２のスタートキー３０３を押下するとＳ１８０３に処理が移る。尚、図１３のスキャン送信の基本操作画面に関する説明は、図１２のＳ１２０１の説明と同様であるため省略する。
【００６８】
Ｓ１８０３では、ＣＰＵ２００１が、ＨＤＤ２００４に格納された情報を読み出して、スキャン送信のアプリにおいて、原稿の向き指定が必須であるかどうかを判定する。もし、必須と指定されている場合はＳ１８０４に進み、図１２のＳ１２０３と同様に、図６に示す原稿の向きを設定する画面の表示制御を行う。次にＳ１８０５に進み、図１２のＳ１２０４と同様に、その画面を使用してユーザにより設定された原稿の向きを取得する。こちらも操作内容は、Ｓ１２０４と同様の操作を行うので説明を省略する。次にＳ１８０６に進み、Ｓ１８０５で取得した原稿の向きの設定を、スキャン送信のジョブの原稿の向きに設定してＳ１８０８に進む。
【００６９】
一方、Ｓ１８０３で、原稿の向きの指定が必須でないときはＳ１８０７に進み、スキャン送信のアプリに設定された原稿の向き指定を、この送信ジョブの原稿の向きに設定してＳ１８０８に進む。そしてＳ１８０８では、ＣＰＵ２００１がＲＡＭ２００２に格納されたスキャン送信のジョブの設定を基にジョブの送信を行う。
【００７０】
このように実施形態３によれば、それぞれジョブが異なるアプリケーション毎（例えば、コピー、電子メール、ファックス等）に、デフォルトの原稿の向きとその設定方法を指定できる。これにより、アプリケーションに応じて、原稿の向きを設定するようにユーザに促すことが可能になる。
【００７１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005890667.tif 000002
【図２】
0005890667.tif 000003
【図３】
0005890667.tif 000004
【図４】
0005890667.tif 000005
【図５】
0005890667.tif 000006
【図６】
0005890667.tif 000007
【図７】
0005890667.tif 000008
【図８】
0005890667.tif 000009
【図９】
0005890667.tif 000010
【図１０】
0005890667.tif 000011
【図１１】
0005890667.tif 000012
【図１２】
0005890667.tif 000013
【図１３】
0005890667.tif 000014
【図１４】
0005890667.tif 000015
【図１５】
0005890667.tif 000016
【図１６】
0005890667.tif 000017
【図１７】
0005890667.tif 000018
【図１８】
0005890667.tif 000019